(57)【要約】【課題】  ユーザがデジタル画像を容易に分類することができる画像分類方法、画像分類装置、及び、画像分類プログラムを提供する。【解決手段】  第１の画像を表示し、ユーザのワン・キー・アクションを受信し、前記ワン・キー・アクションの受信により第２の画像を表示し、前記ワン・キー・アクションにしたがい、前記第１の画像を分類する。【選択図】  図２
2004206697.tif 000002
【特許請求の範囲】
【請求項１】
第１の画像を表示し、
ユーザのワン・キー・アクションを受信し、
前記ワン・キー・アクションの受信により第２の画像を表示し、
前記ワン・キー・アクションにしたがい、前記第１の画像を分類する、
画像分類方法。
【請求項２】
前記第２の画像は画像シーケンスにおいて前記第１の画像に隣接する、請求項１に記載の画像分類方法。
【請求項３】
前記画像シーケンスは、画像が生成されたオリジナルの順序で配列されている、請求項２に記載の画像分類方法。
【請求項４】
前記画像シーケンスは一連のデジタル写真である、請求項２に記載の画像分類方法。
【請求項５】
画像シーケンスと、該画像シーケンスの選択画像に対応する拡大画像と、を同時に表示するステップと、
前記選択画像を分類するステップと、
を備える画像分類方法。
【請求項６】
前記選択画像を分類するステップは、
ユーザのワン・キー・アクションを受信し、
前記ワン・キー・アクションの受信により、前記画像シーケンスの次の画像を表示し、
前記ワン・キー・アクションにしたがい、前記選択画像を分類する、
請求項５に記載の画像分類方法。
【請求項７】
前記画像シーケンスの前記選択画像を選択するステップをさらに含む、請求項５に記載の画像分類方法。
【請求項８】
前記画像シーケンスは、画像が生成されたオリジナルの順序で配列されている、請求項５に記載の画像分類方法。
【請求項９】
前記画像シーケンスは一連のデジタル写真である、請求項５に記載の画像分類方法。
【請求項１０】
前記選択画像に関連する関連画像をリトリーブするステップと、
前記選択画像と、前記関連画像と、を同時に表示するステップと、
をさらに備える請求項５に記載の画像分類方法。
【請求項１１】
前記関連画像は前記選択画像の代替版である、請求項１０に記載の画像分類方法。
【請求項１２】
前記代替版は前記選択画像の修正版である、請求項１１に記載の画像分類方法。
【請求項１３】
前記修正版はユーザの手動により生成される、請求項１２に記載の画像分類方法。
【請求項１４】
前記修正版は、前記選択画像に少なくとも１つの画像強調を自動的に適用することにより生成される、請求項１２に記載の画像分類方法。
【請求項１５】
前記関連画像は前記選択画像の類似画像である、請求項１０に記載の画像分類方法。
【請求項１６】
前記類似画像は自動的に判断される、請求項１５に記載の画像分類方法。
【請求項１７】
前記画像シーケンスの少なくとも１の画像の分類を表示するステップをさらに含む、請求項５に記載の画像分類方法。
【請求項１８】
異なる分類は異なる視覚表示に関連付けられている、請求項１７に記載の画像分類方法。
【請求項１９】
前記異なる視覚表示は異なる色を含む、請求項１８に記載の画像分類方法。
【請求項２０】
前記分類は、アクセプト画像及びリジェクト画像の少なくとも１を示し、
アクセプト画像はオリジナルの品質で表示され、リジェクト画像は品質を低減して表示される、
請求項１７に記載の画像分類方法。
【請求項２１】
前記画像シーケンスの第２の画像を選択するステップと、
前記拡大画像と、選択された前記第２の画像に対応する第２の拡大画像と、を同時に表示するステップと、
をさらに備える請求項５に記載の画像分類方法。
【請求項２２】
画像シーケンスの少なくとも１の画像が分類に関連付けられている、該画像シーケンスを表示するステップと、
前記画像シーケンスの第１の選択画像の分類を変更するステップと、
を含む画像分類方法。
【請求項２３】
少なくとも１の前記画像が２以上の画像であり、
第１の選択画像の分類を変更するステップが、
ユーザのワン・キー・アクションを受信し、
前記ワン・キー・アクションの受信により、前記画像シーケンスの第２の選択画像を選択し、
前記ワン・キー・アクションにしたがい、前記第１の選択画像を再分類する、
請求項２２に記載の画像分類方法。
【請求項２４】
前記画像シーケンスは、該画像シーケンスが生成されるオリジナルの順序で配列されている、請求項２２に記載の画像分類方法。
【請求項２５】
前記画像シーケンスは一連のデジタル画像である、請求項２２に記載の画像分類方法。
【請求項２６】
異なる分類が異なる視覚表示に関連付けられている、請求項２２に記載の画像分類方法。
【請求項２７】
前記異なる視覚表示が異なる色を含む、請求項２６に記載の画像分類方法。
【請求項２８】
前記分類はアクセプト画像及びリジェクト画像の少なくとも１を示し、
アクセプト画像はオリジナルの品質で表示され、リジェクト画像は品質を低減されて表示される、
請求項２２に記載の画像分類方法。
【請求項２９】
前記第１の選択画像に関連する少なくとも１の関連画像をリトリーブするステップと、
少なくとも１の前記関連画像を表示するステップと、
をさらに含む請求項２２に記載の画像分類方法。
【請求項３０】
少なくとも１の前記関連画像の少なくとも１は前記第１の選択画像の代替版である、請求項２９に記載の画像分類方法。
【請求項３１】
少なくとも１の前記代替版の少なくとも１は前記第１の選択画像の修正版である、請求項３０に記載の画像分類方法。
【請求項３２】
前記修正版はユーザにより手動で生成される、請求項３１に記載の画像分類方法。
【請求項３３】
前記修正版は前記第１の選択画像に少なくとも１の画像強調を適用することにより自動的に生成される、請求項３１に記載の画像分類方法。
【請求項３４】
少なくとも１の前記関連画像の少なくとも１は前記第１の選択画像の類似画像である、請求項２９に記載の画像分類方法。
【請求項３５】
少なくとも１の前記類似画像の少なくとも１は自動的に判断される、請求項３４に記載の画像分類方法。
【請求項３６】
分類手段と、
インターフェース生成手段と、
イベント解釈手段と、
を有し、
前記インターフェース生成手段は表示手段に第１の画像を表示し、
前記イベント解釈手段はユーザのワン・キー・アクションを受信し、
前記ワン・キー・アクションの受信により前記表示手段に第２の画像を表示し、
前記分類手段は前記ワン・キー・アクションにしたがい、前記第１の画像を分類する、
画像分類装置。
【請求項３７】
前記第２の画像は画像シーケンスにおいて前記第１の画像に隣接する、請求項３６に記載の画像分類装置。
【請求項３８】
前記画像シーケンスは、画像が生成されたオリジナルの順序で配列されている、請求項３７に記載の画像分類装置。
【請求項３９】
前記画像シーケンスは一連のデジタル写真である、請求項３７に記載の画像分類装置。
【請求項４０】
インターフェース生成手段と、
イベント解釈手段と、
を有し、
前記インターフェース生成手段は表示手段に画像シーケンスを表示し、
前記イベント解釈手段は前記画像シーケンスの第１の画像を識別し、
前記インターフェース生成手段は前記表示手段に前記第１の画像の拡大画像と前記画像シーケンスとを同時に表示する、
画像分類装置。
【請求項４１】
分類手段をさらに有し、
前記イベント解釈手段は、ユーザのワン・キー・アクションを受信し、
前記インターフェース生成手段は、前記ワン・キー・アクションの受信により第２の画像を識別し、
前記分類手段は前記ワン・キー・アクションにしたがい、前記第１の画像を分類する、
請求項４０に記載の画像分類装置。
【請求項４２】
前記画像シーケンスは、画像が生成されたオリジナルの順序で配列されている、請求項４０に記載の画像分類装置。
【請求項４３】
前記画像シーケンスは一連のデジタル写真である、請求項４０に記載の画像分類装置。
【請求項４４】
リトリーブ手段をさらに有し、
前記リトリーブ手段は前記第１の画像に関連する少なくとも１の関連画像をリトリーブし、
前記インターフェース生成手段は少なくとも１の前記関連画像を表示する、
請求項４０に記載の画像分類装置。
【請求項４５】
少なくとも１の前記関連画像の少なくとも１は前記第１の画像の代替版である、請求項４４に記載の画像分類装置。
【請求項４６】
少なくとも１の前記代替版の少なくとも１は前記第１の画像の修正版である、請求項４５に記載の画像分類装置。
【請求項４７】
少なくとも１の前記修正版はユーザにより手動で生成される、請求項４６に記載の画像分類装置。
【請求項４８】
少なくとも１の前記修正版は前記第１の画像に少なくとも１の画像強調を自動的に適用することにより生成される、請求項４６に記載の画像分類装置。
【請求項４９】
少なくとも１の前記関連画像の少なくとも１は前記第１の画像の類似画像である、請求項４４に記載の画像分類装置。
【請求項５０】
前記類似画像は自動的に判断される、請求項４９に記載の画像分類装置。
【請求項５１】
前記インターフェース生成手段は、前記画像シーケンスの少なくとも１の画像の分類をさらに表示する、請求項４０に記載の画像分類装置。
【請求項５２】
異なる分類は異なる視覚表示に関連付けられている、請求項５１に記載の画像分類装置。
【請求項５３】
異なる前記視覚表示は異なる色を含む、請求項５２に記載の画像分類装置。
【請求項５４】
前記分類は、アクセプト画像とリジェクト画像との少なくとも１を示し、
アクセプト画像はオリジナルの品質で表示され、リジェクト画像は低減された品質で表示される、
請求項５１に記載の画像分類装置。
【請求項５５】
前記イベント解釈手段は前記画像シーケンスにおける第２の画像を識別し、
前記インターフェース生成手段は、前記第２の画像に対応する第２の拡大画像と、前記拡大画像と、を同時に表示する、
請求項４０に記載の画像分類装置。
【請求項５６】
分類手段と、
インターフェース生成手段と、
イベント解釈手段と、
を有し、
前記インターフェース生成手段は、画像シーケンスの画像各々が分類と関連付けられている、該画像シーケンスを表示手段に表示し、
前記イベント解釈手段は、前記画像シーケンスの第１の画像を識別し、ユーザのワン・キー・アクションを受信し、
前記インターフェース生成手段は、前記ワン・キー・アクションの受信により第２の画像を識別し、
前記分類手段は前記ワン・キー・アクションにしたがい、前記第１の画像を再分類する、
画像分類装置。
【請求項５７】
前記画像シーケンスは、該画像シーケンスが生成されているオリジナルの順序で配列されている、請求項５６に記載の画像分類装置。
【請求項５８】
前記画像シーケンスは一連のデジタル写真である、請求項５６に記載の画像分類装置。
【請求項５９】
異なる分類は異なる視覚表示に関連付けられている、請求項５６に記載の画像分類装置。
【請求項６０】
異なる前記視覚表示は異なる色を含む、請求項５９に記載の画像分類装置。
【請求項６１】
前記分類は、アクセプト画像とリジェクト画像との少なくとも１を示し、
アクセプト画像はオリジナルの品質で表示され、リジェクト画像は低減された品質で表示される、
請求項５６に記載の画像分類装置。
【請求項６２】
リトリーブ手段をさらに有し、
前記リトリーブ手段は前記第１の画像に関連する少なくとも１の関連画像をリトリーブし、
前記インターフェース生成手段は少なくとも１の前記関連画像を表示する、
請求項５６に記載の画像分類装置。
【請求項６３】
少なくとも１の前記関連画像の少なくとも１は前記第１の画像の代替版である、請求項６２に記載の画像分類装置。
【請求項６４】
少なくとも１の前記代替版の少なくとも１は前記第１の画像の修正版である、請求項６３に記載の画像分類装置。
【請求項６５】
少なくとも１の前記修正版の少なくとも１はユーザにより手動で生成される、請求項６４に記載の画像分類装置。
【請求項６６】
少なくとも１の前記修正版の少なくとも１は前記第１の画像に少なくとも１の画像強調を自動的に適用することにより生成される、請求項６４に記載の画像分類装置。
【請求項６７】
少なくとも１の前記関連画像の少なくとも１は前記第１の画像の類似画像である、請求項６２に記載の画像分類装置。
【請求項６８】
少なくとも１の前記類似画像の少なくとも１は自動的に判断される、請求項６７に記載の画像分類装置。
【請求項６９】
選択画像と、該選択画像に関連する少なくとも１の関連画像と、を同時に表示するステップと、
前記選択画像を分類するステップと、
を含む画像分類方法。
【請求項７０】
選択画像を分類するステップは、
ユーザのワン・キー・アクションを受信し、
前記ワン・キー・アクションの受信により次の画像を表示し、
前記ワン・キー・アクションにしたがい、前記選択画像を分類する、
請求項６９に記載の画像分類方法。
【請求項７１】
少なくとも１の前記関連画像は前記選択画像の代替版である、請求項６９に記載の画像分類方法。
【請求項７２】
前記代替版は前記選択画像の修正版である、請求項７１に記載の画像分類方法。
【請求項７３】
前記修正版はユーザにより手動で生成される、請求項７２に記載の画像分類方法。
【請求項７４】
前記修正版は、前記選択画像に少なくとも１の画像強調を自動的に適用することにより生成される、請求項７２に記載の画像分類方法。
【請求項７５】
少なくとも１の前記関連画像は前記選択画像の類似画像である、請求項６９に記載の画像分類方法。
【請求項７６】
前記類似画像は自動的に判断される、請求項７５に記載の画像分類方法。
【請求項７７】
インターフェース生成手段と、
イベント解釈手段と、
を有し、
前記インターフェース生成手段は、選択画像と、該選択画像に関連する少なくとも１の関連画像と、を同時に表示し、
前記イベント解釈手段は、前記選択画像を分類する、
画像分類装置。
【請求項７８】
分類手段をさらに含み、
前記イベント解釈手段はユーザのワン・キー・アクションを受信し、
前記インターフェース生成手段は、前記ワン・キー・アクションの受信により次の画像を表示し、
前記分類手段は前記ワン・キー・アクションにしたがい、前記選択画像を分類する、
請求項７７に記載の画像分類装置。
【請求項７９】
少なくとも１の前記関連画像は前記選択画像の代替版である、請求項７７に記載の画像分類装置。
【請求項８０】
前記代替版は前記選択画像の修正版である、請求項７９に記載の画像分類装置。
【請求項８１】
前記修正版はユーザにより手動で生成される、請求項８０に記載の画像分類装置。
【請求項８２】
前記修正版は、前記選択画像に少なくとも１の画像強調を自動的に適用することにより生成される、請求項８０に記載の画像分類装置。
【請求項８３】
少なくとも１の前記関連画像は前記選択画像の類似画像である、請求項７７に記載の画像分類装置。
【請求項８４】
前記類似画像は自動的に判断される、請求項８３に記載の画像分類装置。
【請求項８５】
第１の画像を表示するステップと、
ユーザのワン・キー・アクションを受信するステップと、
前記ワン・キー・アクションの受信により第２の画像を表示するステップと、
前記ワン・キー・アクションにしたがい、前記第１の画像を分類するステップと、
を含む画像分類方法をコンピュータに実行させるプログラム。
【発明の詳細な説明】
【技術分野】
【０００１】
本発明は、画像分類方法、画像分類装置、及び、画像分類プログラムに係り、詳細には、ユーザがデジタル画像を容易に分類することができる画像分類方法、画像分類装置、及び、画像分類プログラムに関する。
【背景技術】
【０００２】
他者と共有するために、人々は日常的に写真を分類する。他者と共有するために家族アルバムに貼り付けることを希望する写真と、未分類保存ボックスに残しておくことを意図する写真と、に、分けられる前に、写真は一般的に分類される。
【０００３】
デジタル写真技術は、他者と経験を共有し、思い出を語る機会を得るための新しい世界を開いた。デジタル写真のようなデジタル・画像では、分類はさらに行われる。なぜなら、（デジタル画像には、他者との）共有のためのより多くの方法（例えば、デジタル・アルバム、カード、カレンダー、スライド・ショー、ＣＤ−ＲＯＭ、ＤＶＤ、ウェブ・ページ、電子メイルなど）、より多くの写真（なぜなら、例えば、デジタル・カメラでは、アナログ・カメラで撮影するより多くの写真を、人々は撮影する）、より多くの分類（例えば、オリジナル画像、修正画像など）があるからである。
【０００４】
デジタル写真を分類するために、スライド・ショー及びライト・テーブル(light table)・ユーザ・インターフェースが使用されている。例えば、スライド・ショー・ユーザ・インターフェースは、写真の品質について判断するためにクローズ・アップで写真を点検するためによく適している。しかしながら、スライド・ショー・ユーザ・インターフェースは一度に一の写真を表示するだけなので、類似の写真、もしくは、同一の写真の修正版のような、他の関連する写真について判断するためにはあまり適していない。さらに、スライド・ショー・ユーザ・インターフェースは、写真を分類する、すなわち、写真を別個のフォルダーに分類するために、複雑な手続を要求する。
【０００５】
ライト・テーブル・ユーザ・インターフェースは一度に一より多くの写真を表示するので、デジタル写真を比較するために使用されている。しかしながら、ライト・テーブル・ユーザ・インターフェースで一度に多くの写真を表示すると、クローズ・アップでの点検及び比較を行うために、各写真に利用できる解像度は低くなる。ライト・テーブル・ユーザ・インターフェースは分類の選択を再検討するためにも使用されている。ライト・テーブル・ユーザ・インターフェースは、写真分類の概観を提供することができるが、写真のオリジナルの順序のコンテクストでユーザの選択を表示しないので、含めるべき写真が除外されているか、又は、除外すべき写真が含まれているか、をユーザが一目で確認することが困難である。
【０００６】
従来技術として、例えば、非特許文献１〜３などがある。
【非特許文献１】クチンスキーら(Kuchinsky et al.)、「フォトファイル：コンシューマ・マルチメディア・オーガナイゼーション及びリトリーブ・システム」("Fotofile: A Consumer Multimedia Organization and Retrieval System")、コンピューティング・システムにおけるヒューマン・ファクタに関するＡＣＭカンファレンス(ACM Conference on Human Factors in Computing Systems)、１９９９年５月、ＣＨＩ１５〜２０、頁４９６〜５０３
【非特許文献２】カングら(Kang et al.)、「パーソナル・フォト・コレクションの視覚化方法：フォト・ファインダにおけるブラウズ及びサーチ」("Visualization Methods for Personal Photo Collections: Browsing and Searching in the Photo Finder")、マルチメディア及びＥｘｐｏに関するＩＥＥＥ国際カンファレンス(IEEE International Conference on Multimedia and Expo)、ＩＣＭＥ２０００
【非特許文献３】「ホット若しくはノット」("HOT or NOT")、[online]、インターネット<URL:http://www.hotornot.com>
【発明の開示】
【発明が解決しようとする課題】
【０００７】
本発明は、上記課題を解決するために、ユーザがデジタル画像を容易に分類することができる画像分類方法、画像分類装置、及び、画像分類プログラムを提供する。
【課題を解決するための手段】
【０００８】
本発明は、ユーザが、ワン・キー(one-key)・アクションで画像を分類することのできるシステム及び方法を提供する。
【０００９】
本発明は、さらに、ユーザが、ワン・キー・アクションでデジタル写真を分類することができるシステム及び方法を提供する。
【００１０】
本発明は、ユーザが、画像に関連する関連情報を参照して画像を分類することができるシステム及び方法を別に提供する。
【００１１】
本発明は、さらに、ユーザが、デジタル写真が撮影された順番のコンテクストで、デジタル写真を分類することができるシステム及び方法を提供する。
【００１２】
本発明は、ユーザが、画像に関連する他の画像を参照して、当該画像を分類することができるシステム及び方法を別に提供する。
【００１３】
本発明は、ユーザが、画像に類似すると判断される画像を参照して、当該画像を分類することができるシステム及び方法を別に提供する。
【００１４】
本発明は、ユーザが、画像の少なくとも一の代替版を参照して、当該画像を分類することができるシステム及び方法を別に提供する。
【００１５】
本発明は、さらに、ユーザが、画像のトリミング版及び／もしくは修正版を参照して当該画像を分類することができるシステム及び方法を提供する。
【００１６】
本発明は、さらに、画像を自動的に強調することによって生成する当該画像の改訂版を参照して、当該画像を分類することができるシステム及び方法を提供する。
【００１７】
本発明は、ユーザが、画像が生成されるのと同じ順序（の画像）から選択される他の画像との隣接比較を参照して、当該画像を分類することができる別のシステム及び方法を提供する。
【００１８】
本発明は、画像が生成される順序で画像を表示し、ユーザが、画像分類採択を再検討し、当該画像分類採択を改良することができる別のシステム及び方法を提供する。
【００１９】
本発明は、さらに、ユーザが、選択された画像に関連する関連画像を参照して、画像分類採択を再検討し、当該画像分類採択を改良することができるシステム及び方法を提供する。
【００２０】
本発明のシステム及び方法の様々な例示的な実施形態において、ユーザは、ワン・キー・アクションで画像を分類する。このような例示的な実施形態において、ユーザは、現在の写真を分類するため、及び、次の写真に進むため、の両方のために、単一のキー、もしくは、マウス・クリックを使用する。
【００２１】
本発明のシステム及び方法の様々な例示的な実施形態において、ユーザは、分類されるべき画像が生成されたオリジナルの順序の画像を参照して、当該画像を分類する。様々な例示的な実施形態において、ユーザは、さらに、分類されるべき画像に関連する関連画像を参照してもよい。様々な例示的な実施形態において、関連画像は、画像の類似画像及び画像の代替版を含むことができる。様々な例示的な実施形態において、ユーザは、分類されるべき画像が生成されたオリジナルの順序と同じ順序の画像から選択された他の画像との比較を参照して、画像を分類してもよい。
【００２２】
本発明のシステム及び方法の様々な例示的な実施形態において、ユーザは、画像分類採択を再検討し、改良してもよい。様々な例示的な実施形態において、ユーザは、改良されるべき画像が生成されるオリジナルの順序の画像を参照して、画像分類採択を再検討し、改良してもよい。様々な例示的な実施形態において、ユーザは、分類が改良されるべき画像に関連する関連画像を参照して、画像分類採択を再検討及び改良してもよい。
【００２３】
本発明の第１の態様の画像分類方法は、第１の画像を表示し、ユーザのワン・キー・アクションを受信し、前記ワン・キー・アクションの受信により第２の画像を表示し、前記ワン・キー・アクションにしたがい、前記第１の画像を分類する。
【００２４】
本発明の第２の態様は、第１の態様の画像分類方法であって、前記第２の画像は画像シーケンスにおいて前記第１の画像に隣接する。
【００２５】
本発明の第３の態様は、第２の態様の画像分類方法であって、前記画像シーケンスは、画像が生成されたオリジナルの順序で配列されている。
【００２６】
本発明の第４の態様は、第２の態様の画像分類方法であって、前記画像シーケンスは一連のデジタル写真である。
【００２７】
本発明の第５の態様の画像分類方法は、画像シーケンスと、該画像シーケンスの選択画像に対応する拡大画像と、を同時に表示するステップと、前記選択画像を分類するステップと、を備える。
【００２８】
本発明の第６の態様は、第５の態様の画像分類方法であって、前記選択画像を分類するステップは、ユーザのワン・キー・アクションを受信し、前記ワン・キー・アクションの受信により、前記画像シーケンスの次の画像を表示し、前記ワン・キー・アクションにしたがい、前記選択画像を分類する。
【００２９】
本発明の第７の態様は、第５の態様の画像分類方法であって、前記画像シーケンスの前記選択画像を選択するステップをさらに含む。
【００３０】
本発明の第８の態様は、第５の態様の画像分類方法であって、前記画像シーケンスは、画像が生成されたオリジナルの順序で配列されている。
【００３１】
本発明の第９の態様は、第５の態様の画像分類方法であって、前記画像シーケンスは一連のデジタル写真である。
【００３２】
本発明の第１０の態様は、第５の態様の画像分類方法であって、前記選択画像に関連する関連画像をリトリーブするステップと、前記選択画像と、前記関連画像と、を同時に表示するステップと、をさらに備える。
【００３３】
本発明の第１１の態様は、第１０の態様の画像分類方法であって、前記関連画像は前記選択画像の代替版である。
【００３４】
本発明の第１２の態様は、第１１の態様の画像分類方法であって、前記代替版は前記選択画像の修正版である。
【００３５】
本発明の第１３の態様は、第１２の態様の画像分類方法であって、前記修正版はユーザの手動により生成される。
【００３６】
本発明の第１４の態様は、第１２の態様の画像分類方法であって、前記修正版は、前記選択画像に少なくとも１つの画像強調を自動的に適用することにより生成される。
【００３７】
本発明の第１５の態様は、第１０の態様の画像分類方法であって、前記関連画像は前記選択画像の類似画像である。
【００３８】
本発明の第１６の態様は、第１５の態様の画像分類方法であって、前記類似画像は自動的に判断される。
【００３９】
本発明の第１７の態様は、第５の態様の画像分類方法であって、前記画像シーケンスの少なくとも１の画像の分類を表示するステップをさらに含む。
【００４０】
本発明の第１８の態様は、第１７の態様の画像分類方法であって、異なる分類は異なる視覚表示に関連付けられている。
【００４１】
本発明の第１９の態様は、第１８の態様の画像分類方法であって、前記異なる視覚表示は異なる色を含む。
【００４２】
本発明の第２０の態様は、第１７の態様の画像分類方法であって、前記分類は、アクセプト画像及びリジェクト画像の少なくとも１を示し、アクセプト画像はオリジナルの品質で表示され、リジェクト画像は品質を低減して表示される。
【００４３】
本発明の第２１の態様は、第５の態様の画像分類方法であって、前記画像シーケンスの第２の画像を選択するステップと、前記拡大画像と、選択された前記第２の画像に対応する第２の拡大画像と、を同時に表示するステップと、をさらに備える。
【００４４】
本発明の第２２の態様の画像分類方法は、画像シーケンスの少なくとも１の画像が分類に関連付けられている、該画像シーケンスを表示するステップと、前記画像シーケンスの第１の選択画像の分類を変更するステップと、を含む。
【００４５】
本発明の第２３の態様は、第２２の態様の画像分類方法であって、少なくとも１の前記画像が２以上の画像であり、第１の選択画像の分類を変更するステップが、ユーザのワン・キー・アクションを受信し、前記ワン・キー・アクションの受信により、前記画像シーケンスの第２の選択画像を選択し、前記ワン・キー・アクションにしたがい、前記第１の選択画像を再分類する。
【００４６】
本発明の第２４の態様は、第２２の態様の画像分類方法であって、前記画像シーケンスは、該画像シーケンスが生成されるオリジナルの順序で配列されている。
【００４７】
本発明の第２５の態様は、第２２の態様の画像分類方法であって、前記画像シーケンスは一連のデジタル画像である。
【００４８】
本発明の第２６の態様は、第２２の態様の画像分類方法であって、異なる分類が異なる視覚表示に関連付けられている。
【００４９】
本発明の第２７の態様は、第２６の態様の画像分類方法であって、前記異なる視覚表示が異なる色を含む。
【００５０】
本発明の第２８の態様は、第２２の態様の画像分類方法であって、前記分類はアクセプト画像及びリジェクト画像の少なくとも１を示し、アクセプト画像はオリジナルの品質で表示され、リジェクト画像は品質を低減されて表示される。
【００５１】
本発明の第２９の態様は、第２２の態様の画像分類方法であって、前記第１の選択画像に関連する少なくとも１の関連画像をリトリーブするステップと、少なくとも１の前記関連画像を表示するステップと、をさらに含む。
【００５２】
本発明の第３０の態様は、第２９の態様の画像分類方法であって、少なくとも１の前記関連画像の少なくとも１は前記第１の選択画像の代替版である。
【００５３】
本発明の第３１の態様は、第３０の態様の画像分類方法であって、少なくとも１の前記代替版の少なくとも１は前記第１の選択画像の修正版である。
【００５４】
本発明の第３２の態様は、第３１の態様の画像分類方法であって、前記修正版はユーザにより手動で生成される。
【００５５】
本発明の第３３の態様は、第３１の態様の画像分類方法であって、前記修正版は前記第１の選択画像に少なくとも１の画像強調を適用することにより自動的に生成される。
【００５６】
本発明の第３４の態様は、第２９の態様の画像分類方法であって、少なくとも１の前記関連画像の少なくとも１は前記第１の選択画像の類似画像である。
【００５７】
本発明の第３５の態様は、第３４の態様の画像分類方法であって、少なくとも１の前記類似画像の少なくとも１は自動的に判断される。
【００５８】
本発明の第３６の態様の画像分類装置は、分類回路・ルーチン・アプリケーション（分類手段に相当）と、インターフェース生成回路・ルーチン・アプリケーション（インターフェース生成手段に相当）と、ユーザ・インターフェース・イベント解釈回路・ルーチン・アプリケーション（イベント解釈手段に相当）と、を有し、前記インターフェース生成回路・ルーチン・アプリケーションはユーザ・インターフェース（表示手段に相当）に第１の画像を表示し、前記ユーザ・インターフェース・イベント解釈回路・ルーチン・アプリケーションはユーザのワン・キー・アクションを受信し、前記ワン・キー・アクションの受信により前記ユーザ・インターフェースに第２の画像を表示し、前記分類回路・ルーチン・アプリケーションは前記ワン・キー・アクションにしたがい、前記第１の画像を分類する。
【００５９】
本発明の第３７の態様は、第３６の態様の画像分類装置であって、前記第２の画像は画像シーケンスにおいて前記第１の画像に隣接する。
【００６０】
本発明の第３８の態様は、第３７の態様の画像分類装置であって、前記画像シーケンスは、画像が生成されたオリジナルの順序で配列されている。
【００６１】
本発明の第３９の態様は、第３７の態様の画像分類装置であって、前記画像シーケンスは一連のデジタル写真である。
【００６２】
本発明の第４０の態様の画像分類装置は、インターフェース生成回路・ルーチン・アプリケーションと、ユーザ・インターフェース・イベント解釈回路・ルーチン・アプリケーションと、を有し、前記インターフェース生成回路・ルーチン・アプリケーションはユーザ・インターフェースに画像シーケンスを表示し、前記ユーザ・インターフェース・イベント解釈回路・ルーチン・アプリケーションは前記画像シーケンスの第１の画像を識別し、前記インターフェース生成回路・ルーチン・アプリケーションは前記ユーザ・インターフェースに前記第１の画像の拡大画像と前記画像シーケンスとを同時に表示する。
【００６３】
本発明の第４１の態様は、第４０の態様の画像分類装置であって、分類回路・ルーチン・アプリケーションをさらに有し、前記ユーザ・インターフェース・イベント解釈回路・ルーチン・アプリケーションは、ユーザのワン・キー・アクションを受信し、前記インターフェース生成回路・ルーチン・アプリケーションは、前記ワン・キー・アクションの受信により第２の画像を識別し、前記分類回路・ルーチン・アプリケーションは前記ワン・キー・アクションにしたがい、前記第１の画像を分類する。
【００６４】
本発明の第４２の態様は、第４０の態様の画像分類装置であって、前記画像シーケンスは、画像が生成されたオリジナルの順序で配列されている。
【００６５】
本発明の第４３の態様は、第４０の態様の画像分類装置であって、前記画像シーケンスは一連のデジタル写真である。
【００６６】
本発明の第４４の態様は、第４０の態様の画像分類装置であって、リトリーブ回路・ルーチン・アプリケーション（リトリーブ手段に相当）をさらに有し、前記リトリーブ回路・ルーチン・アプリケーションは前記第１の画像に関連する少なくとも１の関連画像をリトリーブし、前記インターフェース生成回路・ルーチン・アプリケーションは少なくとも１の前記関連画像を表示する。
【００６７】
本発明の第４５の態様は、第４４の態様の画像分類装置であって、少なくとも１の前記関連画像の少なくとも１は前記第１の画像の代替版である。
【００６８】
本発明の第４６の態様は、第４５の態様の画像分類装置であって、少なくとも１の前記代替版の少なくとも１は前記第１の画像の修正版である。
【００６９】
本発明の第４７の態様は、第４６の態様の画像分類装置であって、少なくとも１の前記修正版はユーザにより手動で生成される。
【００７０】
本発明の第４８の態様は、第４６の態様の画像分類装置であって、少なくとも１の前記修正版は前記第１の画像に少なくとも１の画像強調を自動的に適用することにより生成される。
【００７１】
本発明の第４９の態様は、第４４の態様の画像分類装置であって、少なくとも１の前記関連画像の少なくとも１は前記第１の画像の類似画像である。
【００７２】
本発明の第５０の態様は、第４９の態様の画像分類装置であって、前記類似画像は自動的に判断される。
【００７３】
本発明の第５１の態様は、第４０の態様の画像分類装置であって、前記インターフェース生成回路・ルーチン・アプリケーションは、前記画像シーケンスの少なくとも１の画像の分類をさらに表示する。
【００７４】
本発明の第５２の態様は、第５１の態様の画像分類装置であって、異なる分類は異なる視覚表示に関連付けられている。
【００７５】
本発明の第５３の態様は、第５２の態様の画像分類装置であって、異なる前記視覚表示は異なる色を含む。
【００７６】
本発明の第５４の態様は、第５１の態様の画像分類装置であって、前記分類は、アクセプト画像とリジェクト画像との少なくとも１を示し、アクセプト画像はオリジナルの品質で表示され、リジェクト画像は低減された品質で表示される。
【００７７】
本発明の第５５の態様は、第４０の態様の画像分類装置であって、前記ユーザ・インターフェース・イベント解釈回路・ルーチン・アプリケーションは前記画像シーケンスにおける第２の画像を識別し、前記インターフェース生成回路・ルーチン・アプリケーションは、前記第２の画像に対応する第２の拡大画像と、前記拡大画像と、を同時に表示する。
【００７８】
本発明の第５６の態様の画像分類装置は、分類回路・ルーチン・アプリケーションと、インターフェース生成回路・ルーチン・アプリケーションと、ユーザ・インターフェース・イベント解釈回路・ルーチン・アプリケーションと、を有し、前記インターフェース生成回路・ルーチン・アプリケーションは、画像シーケンスの画像各々が分類と関連付けられている、該画像シーケンスをユーザ・インターフェースに表示し、前記ユーザ・インターフェース・イベント解釈回路・ルーチン・アプリケーションは、前記画像シーケンスの第１の画像を識別し、ユーザのワン・キー・アクションを受信し、前記インターフェース生成回路・ルーチン・アプリケーションは、前記ワン・キー・アクションの受信により第２の画像を識別し、前記分類回路・ルーチン・アプリケーションは前記ワン・キー・アクションにしたがい、前記第１の画像を再分類する。
【００７９】
本発明の第５７の態様は、第５６の態様の画像分類装置であって、前記画像シーケンスは、該画像シーケンスが生成されているオリジナルの順序で配列されている。
【００８０】
本発明の第５８の態様は、第５６の態様の画像分類装置であって、前記画像シーケンスは一連のデジタル写真である。
【００８１】
本発明の第５９の態様は、第５６の態様の画像分類装置であって、異なる分類は異なる視覚表示に関連付けられている。
【００８２】
本発明の第６０の態様は、第５９の態様の画像分類装置であって、異なる前記視覚表示は異なる色を含む。
【００８３】
本発明の第６１の態様は、第５６の態様の画像分類装置であって、前記分類は、アクセプト画像とリジェクト画像との少なくとも１を示し、アクセプト画像はオリジナルの品質で表示され、リジェクト画像は低減された品質で表示される。
【００８４】
本発明の第６２の態様は、第５６の態様の画像分類装置であって、リトリーブ回路・ルーチン・アプリケーションをさらに有し、前記リトリーブ回路・ルーチン・アプリケーションは前記第１の画像に関連する少なくとも１の関連画像をリトリーブし、前記インターフェース生成回路・ルーチン・アプリケーションは少なくとも１の前記関連画像を表示する。
【００８５】
本発明の第６３の態様は、第６２の態様の画像分類装置であって、少なくとも１の前記関連画像の少なくとも１は前記第１の画像の代替版である。
【００８６】
本発明の第６４の態様は、第６３の態様の画像分類装置であって、少なくとも１の前記代替版の少なくとも１は前記第１の画像の修正版である。
【００８７】
本発明の第６５の態様は、第６４の態様の画像分類装置であって、少なくとも１の前記修正版の少なくとも１はユーザにより手動で生成される。
【００８８】
本発明の第６６の態様は、第６４の態様の画像分類装置であって、少なくとも１の前記修正版の少なくとも１は前記第１の画像に少なくとも１の画像強調を自動的に適用することにより生成される。
【００８９】
本発明の第６７の態様は、第６２の態様の画像分類方法であって、少なくとも１の前記関連画像の少なくとも１は前記第１の画像の類似画像である。
【００９０】
本発明の第６８の態様は、第６７の態様の画像分類装置であって、少なくとも１の前記類似画像の少なくとも１は自動的に判断される。
【００９１】
本発明の第６９の態様の画像分類方法は、選択画像と、該選択画像に関連する少なくとも１の関連画像と、を同時に表示するステップと、前記選択画像を分類するステップと、を含む。
【００９２】
本発明の第７０の態様は、第６９の態様の画像分類方法であって、選択画像を分類するステップは、ユーザのワン・キー・アクションを受信し、前記ワン・キー・アクションの受信により次の画像を表示し、前記ワン・キー・アクションにしたがい、前記選択画像を分類する。
【００９３】
本発明の第７１の態様は、第６９の態様の画像分類方法であって、少なくとも１の前記関連画像は前記選択画像の代替版である。
【００９４】
本発明の第７２の態様は、第７１の態様の画像分類方法であって、前記代替版は前記選択画像の修正版である。
【００９５】
本発明の第７３の態様は、第７２の態様の画像分類方法であって、前記修正版はユーザにより手動で生成される。
【００９６】
本発明の第７４の態様は、第７２の態様の画像分類方法であって、前記修正版は、前記選択画像に少なくとも１の画像強調を自動的に適用することにより生成される。
【００９７】
本発明の第７５の態様は、第６９の態様の画像分類方法であって、少なくとも１の前記関連画像は前記選択画像の類似画像である。
【００９８】
本発明の第７６の態様は、第７５の態様の画像分類方法であって、前記類似画像は自動的に判断される。
【００９９】
本発明の第７７の態様の画像分類装置は、インターフェース生成回路・ルーチン・アプリケーションと、ユーザ・インターフェース・イベント解釈回路・ルーチン・アプリケーションと、を有し、前記インターフェース生成回路・ルーチン・アプリケーションは、選択画像と、該選択画像に関連する少なくとも１の関連画像と、を同時に表示し、前記ユーザ・インターフェース解釈回路は、前記選択画像を分類する。
【０１００】
本発明の第７８の態様は、第７７の態様の画像分類装置であって、分類回路・ルーチン・アプリケーションをさらに含み、前記ユーザ・インターフェース・イベント解釈回路・ルーチン・アプリケーションはユーザのワン・キー・アクションを受信し、前記インターフェース生成回路・ルーチン・アプリケーションは、前記ワン・キー・アクションの受信により次の画像を表示し、前記分類回路・ルーチン・アプリケーションは前記ワン・キー・アクションにしたがい、前記選択画像を分類する。
【０１０１】
本発明の第７９の態様は、第７７の態様の画像分類装置であって、少なくとも１の前記関連画像は前記選択画像の代替版である。
【０１０２】
本発明の第８０の態様は、第７９の態様の画像分類装置であって、前記代替版は前記選択画像の修正版である。
【０１０３】
本発明の第８１の態様は、第８０の態様の画像分類装置であって、前記修正版はユーザにより手動で生成される。
【０１０４】
本発明の第８２の態様は、第８０の態様の画像分類装置であって、前記修正版は、前記選択画像に少なくとも１の画像強調を自動的に適用することにより生成される。
【０１０５】
本発明の第８３の態様は、第７７の態様の画像分類装置であって、少なくとも１の前記関連画像は前記選択画像の類似画像である。
【０１０６】
本発明の第８４の態様は、第８３の態様の画像分類装置であって、前記類似画像は自動的に判断される。
【０１０７】
本発明の第８５の態様のプログラムは、第１の画像を表示するステップと、ユーザのワン・キー・アクションを受信するステップと、前記ワン・キー・アクションの受信により第２の画像を表示するステップと、前記ワン・キー・アクションにしたがい、前記第１の画像を分類するステップと、を含む画像分類方法をコンピュータに実行させる。
【発明の効果】
【０１０８】
本発明は、第１の画像を表示し、ユーザのワン・キー・アクションを受信し、前記ワン・キー・アクションの受信により第２の画像を表示し、前記ワン・キー・アクションにしたがい、前記第１の画像を分類する。これにより、ユーザはデジタル画像をワン・キー・アクションで容易に分類することができる。
【発明を実施するための最良の形態】
【０１０９】
以下、本発明のシステム及び方法の様々な例示的な実施形態を、図を参照して詳述する。
【０１１０】
本発明のシステム及び方法の様々な例示的な実施形態において、画像分類が記録される。様々な例示的な実施形態において、分類各々のためにファイル・システム・フォルダーが生成され、画像の分類にしたがい、画像各々が適切なフォルダーにリンクされるか、若しくは、コピーされる。他の様々な例示的な実施形態において、データベースにより、画像各々は当該分類でラベル付けされる。
【０１１１】
図１は、本発明にしたがい画像を分類するために使用することができるユーザ・インターフェースの第１の例示的な実施形態を示す。図１に示すように、ユーザ・インターフェース１０００は、グラフィカル・ユーザ・インターフェース１１００及び入力装置１４００を備えている。グラフィカル・ユーザ・インターフェース１１００は、分類部１２００及び画像部１３００を備えている。画像部１３００は、デジタル写真のような、画像を表示する。分類部１２００は、リターン・ボタン１２０２、アクセプト・ボタン１２０４、ニュートラル・ボタン１２０６、リジェクト・ボタン１２０８のような、分類ボタンを備えている。様々な例示的な実施形態において、アクセプト・ボタン１２０４は、画像部１３００に示されている写真がアクセプトできる写真であると、ユーザが考えていることを示し、リジェクト・ボタン１２０８は、画像部１３００に示される写真がアクセプトできる写真ではないことを示し、ニュートラル・ボタン１２０６は、画像部１３００に示されている写真について、ユーザがニュートラルな感覚を有することを示す。
【０１１２】
様々な例示的な実施形態において、アクセプト・ボタン１２０４、ニュートラル・ボタン１２０６及び／又はリジェクト・ボタン１２０８は、選択されると、画像部１３００に表示されている現在の画像を対応する分類に分類し、現在の画像に替えて、画像部１３００に次の画像を自動的に表示する。このように、ユーザの他のアクション、すなわち、グラフィカル・ユーザ・インターフェース・イベントを要せず、ワン・キー・アクション、すなわち、単一のグラフィカル・ユーザ・インターフェース・イベントで、画像各々を分類し、次の画像に進むことができる。
【０１１３】
様々な例示的な実施形態において、画像が撮影されたオリジナルの順序の画像における現在の画像の次の画像が、次の（分類対象となる）画像である。他の様々な例示的な実施形態において、ユーザが画像を分類することを意図する画像の順序における現在の画像の次の画像が、次の（分類対象となる）画像である。
【０１１４】
様々な例示的な実施形態において、アクセプト・ボタン１２０４、ニュートラル・ボタン１２０６及び／又はリジェクト・ボタン１２０８は、選択されると、画像部１３００に現在表示されている画像を画像の分類に対応するファイル・システム・フォルダーにリンク、若しくは、コピーする。他の様々な例示的な実施の形態において、アクセプト・ボタン１２０４、ニュートラル・ボタン１２０６及び／又はリジェクト・ボタン１２０８が選択されると、データベースにより、画像部１３００に現在表示されている画像を画像の分類でラベル付けする。
【０１１５】
リターン・ボタン１２０２が選択されると、現在表示されている画像に替えて、グラフィカル・ユーザ・インターフェース１１００は、画像部１３００に先の画像を表示する。これによれば、ユーザは先の画像にリターンし、先の画像に割り当てた分類を変更することができる。
【０１１６】
様々な例示的な実施形態において、画像が撮影されたオリジナルの画像の順序において、現在の画像の直前の画像が、先の画像である。他の様々な例示的な実施形態において、ユーザが画像を分類することを意図する画像の順序において、現在の画像の直前の画像が、先の画像である。
【０１１７】
分離部１２００には、さらなるボタンが付加されてもよい。例えば、デリート・ボタン及び変更ウィジェットが付加されてもよい。現在の画像を分類せず、ユーザが次の画像に進むことができるように、「次」ボタンが付加されてもよい。図１に示される分類部１２００のボタン１２０２〜１２０８の一以上は省かれてもよい。
【０１１８】
アクセプト・ボタン１２０４、ニュートラル・ボタン１２０６及びリジェクト・ボタン１２０８に各々マッピングされているイベントは、他のウィジェットにマッピングされてもよい（これによれば、当該ウィジェットを選択することにより、（当該イベントは）アクティブになる）。様々な例示的な実施形態において、アクセプト・ボタン１２０４、ニュートラル・ボタン１２０６及びリジェクト・ボタン１２０８に各々マッピングされているイベントは、キーボードのキー・セットにマッピングされ、当該キー・セットを選択することによりアクティブにされる。様々な例示的な実施形態において、アクセプト・ボタン１２０４、ニュートラル・ボタン１２０６及びリジェクト・ボタン１２０６に各々マッピングされているイベントは、図１に示されるように、キーボードの方向キーにマッピングされ、当該方向キーを選択することによりアクティブにされる。アクセプト・ボタン１２０４、ニュートラル・ボタン１２０６及びリジェクト・ボタン１２０８に各々マッピングされているイベントは、マウス・ボタン、トラック・ボール・ボタン、ダミー・スイッチ、ジョイスティック・ボタンなどの別個のボタン、ボイス・コマンド、ジェスチャなどの他の入力装置にマッピングされ、これらを選択することによりアクティブにされてもよい。
【０１１９】
図２は、本発明による写真分類の第１の方法の例示的な実施形態の概要を示すフローチャートである。本方法の処理は、Ｓ１００で開始され、Ｓ１１０へ進み、画像を表示する。Ｓ１２０で、表示画像を分類するために、ユーザはワン・キー・アクションを行う。Ｓ１３０で、ワン・キー・アクションがリターン・ボタン・アクションであるか否か判断される。リターン・ボタン・アクションであるならば、処理はＳ１１０にジャンプし、リターン・ボタン・アクションでないならば、処理はＳ１４０に進む。
【０１２０】
（Ｓ１１０にジャンプした場合、）Ｓ１１０において、現在の画像に替えて、先の画像が表示される。処理はＳ１２０に進み、先の画像を分類することができる。Ｓ１４０では、ユーザのワン・キー・アクションにしたがい、表示画像が分類される。Ｓ１５０で、分類する次の画像があるか否か判断される。表示画像が画像シーケンスにおける最後の画像でなければ、処理はＳ１１０にジャンプする。表示画像が最後の画像であれば、処理はＳ１６０に進む。
【０１２１】
Ｓ１１０で、次の画像が表示される。処理はＳ１２０に進み、次の画像を分類することができる。Ｓ１６０で、本方法の処理は終了する。
【０１２２】
図３は、本発明にしたがう画像分類に使用することができるユーザ・インターフェース２０００の第２の例示的な実施形態を示す。図３に示されるように、ユーザ・インターフェース２０００は、グラフィカル・ユーザ・インターフェース２１００である。グラフィカル・ユーザ・インターフェース２１００は、分類部２２００、画像部２３００、フィルム・ストリップ部２４００を備える。分類部２２００及び画像部２３００は、図１の分類部１２００及び画像部１３００と各々同様である。分類部２２００はリターン・ボタン２２０２、アクセプト・ボタン２２０４、ニュートラル・ボタン２２０６及び／又はリジェクト・ボタン２２０８を備える。フィルム・ストリップ部２４００は、画像シーケンス２４０２を表示する。
【０１２３】
様々な例示的な実施形態において、フィルム・ストリップ部２４００に表示される画像シーケンス２４０２は、デジタル写真が撮影された順序で配置された一連のデジタル写真である。様々な例示的な実施形態において、シーケンス２４０２はフィルム・ストリップ部２４００の左から当該フィルム・ストリップ部２４００の右に向けて水平方向に配列される。シーケンス２４０２の左に表示されるデジタル写真は先に撮影されたデジタル写真であり、右に表示されるデジタル写真は後に撮影されたデジタル写真である。
【０１２４】
シーケンス２４０２は、右がスタートで、左がエンドであってもよい（すなわち、上記と逆の配列であってもよい。）。シーケンス２４０２は、垂直方向及び対角方向のような、他の方向で配列されてもよい。さらに、フィルム・ストリップ部２４０２は、画像部２３００の上部又は横のような、グラフィカル・ユーザ・インターフェース２１００の異なる位置に配置されてもよい。
【０１２５】
フィルム・ストリップ部２４００に表示されているシーケンス２４０２の画像の各々は、マウス、トラック・ボール、キーボードなどのような、入力、若しくは、選択装置によって強調されることができる。様々な例示的な実施形態において、シーケンス２４０２における選択画像上に、入力、若しくは、選択装置のポインタを単に置くだけで、強調はアクティブとなる。様々な例示的な実施形態において、選択画像上でマウスをクリックするような、積極的な選択により強調がアクティブにされる。
【０１２６】
様々な例示的な実施形態では、選択画像が強調されると、選択画像の拡大画像が画像部２３００に表示される。ユーザは、拡大画像により選択画像をクローズ・アップで見ることができる。分類部２２００に備えられているボタン２２０２〜２２０８を使用してワン・キー・アクションを行うことにより、ユーザは選択画像を分類してもよい。（現在強調されている）画像が分類されると、フィルム・ストリップ部２４００に表示されているシーケンス２４０２の次の画像が自動的に強調される。したがって、新たに強調された画像が新たな選択画像となり、新たな選択画像の拡大画像が画像部２３００に表示される。
【０１２７】
様々な例示的な実施形態では、分類状態及び／又は分類された画像の状態が、フィルム・ストリップ部２４００に示される。例えば、図３に示すように、分類された選択画像の左側の画像は、画像に割り当てられた分類を示すシンボルと共に表示される。
【０１２８】
様々な例示的な実施形態では、分類表示の容易で迅速な視認を提供するために、フィルム・ストリップ部２４００の異なる分類表示が異なる視覚効果表示（色、画像品質、シンボルなど）と関連付けられる。様々な例示的な実施形態では、アクセプト画像、リジェクト画像、ニュートラル画像は、各々、緑、赤、黄のフレームと関連付けられる。他の様々な例示的な実施形態では、異なる分類表示及び／又は異なる分類が使用されてもよい。
【０１２９】
様々な例示的な実施形態では、リジェクト画像は、フェードされた画像若しくはフィルタされた画像のように示される。フェードされた画像では、例えば、コントラスト若しくは明度を低減することにより、画像品質は低下する。したがって、フェードされた画像の特徴は視認可能であるが、通常のアクセプト画像の特徴のように明確ではない。
【０１３０】
様々な例示的な実施形態では、フィルム・ストリップ部２４００に示されているシーケンス２４０２の画像各々の位置は、分類セッションの間変更されない。選択画像の強調は、（当該画像が）選択され、分類される順番になると、シーケンス２４０２の画像各々の左から右にシフトする。他の様々な例示的な実施形態では、フィルム・ストリップ部２４００に示される画像・シーケンス２４０２は、分類セッションの間、自動的に更新される。様々な例示的な実施形態では、選択画像が分類され、新たな画像が選択されると、フィルム・ストリップ部２４００に表示されるシーケンス２４０２の画像が左にシフトされる。左端の画像はフィルム・ストリップ部２４００から押し出され、フィルム・ストリップ部２４００の右端で、新たな画像がシーケンス２４０２に付加される。これによれば、自動的に選択される画像の位置は、（フィルム・ストリップ部２４００の中央のような）所定の位置に固定される。
【０１３１】
図３に示されるように、選択写真の分類に関して、詳細な情報を得た上での判断ができるように、ユーザは写真が撮影される順番で画像を参照することができる。後日好ましい写真を選択するために、同一の被写体の多くの写真をユーザが撮影する際に、これは特に有用である。
【０１３２】
図４は、本発明による画像分類に使用することができるユーザ・インターフェース３０００の第３の例示的な実施形態を示す。図４に示されるように、ユーザ・インターフェース３０００はグラフィカル・ユーザ・インターフェース３１００である。グラフィカル・ユーザ・インターフェース３１００は分類部３２００、画像部３３００、フィルム・ストリップ部３４００を備える。分類部３２００及び画像部３３００は、図１の分類部１２００及び画像部１３００と各々同様である。分類部３２００は、リターン・ボタン３２０２、アクセプト・ボタン３２０４、ニュートラル・ボタン３２０６及び／又はリジェクト・ボタン３２０８のような、分類ボタンを備える。フィルム・ストリップ部３４００は画像シーケンス３４０２を表示する。様々な例示的な実施形態では、フィルム・ストリップ部３４００に表示されているシーケンス３４０２は、デジタル写真が撮影された順番で配置されている一連のデジタル写真である。
【０１３３】
様々な例示的な実施形態では、画像部３３００は、２以上の拡大画像を表示するために使用される。図４に示されるように、第１の拡大画像は画像部３３００の第１の表示位置３３０２に表示される。第２の拡大画像は、画像部３３００の第２の表示部３３０４に表示される。様々な例示的な実施形態では、第１の拡大画像は、フィルム・ストリップ部３４００に表示されている、先の画像の分類により自動的に選択される画像に対応する。第２の拡大画像は、フィルム・ストリップ部３４００に表示されている、ユーザにより選択される画像に対応する。様々な例示的な実施形態では、画像を強調することにより、当該画像はユーザにより選択される。
【０１３４】
様々な例示的な実施形態では、少なくとも第１の拡大画像の分類を判断するために、第１の拡大画像と第２の拡大画像と、をユーザが同時に検討することができるように、第１の表示部３３０２及び第２の表示部３３０４は、隣接して配置される。様々な例示的な実施形態では、第１の拡大画像と、第２の拡大画像と、をユーザが同時に見ることができるように、第１の表示部３３０２は、第２の表示部３３０４の上に配置される。他の様々な例示的な実施形態では、第１の表示部３３０２と、第２の表示部３３０４と、は、対角（位置）関係のような他の位置関係で配置される。他の様々な例示的な実施形態では、第１の表示部３３０２と、第２の表示部３３０４と、の位置はユーザにより調整されてもよい。
【０１３５】
図５は、本発明による画像分類に使用することができるユーザ・インターフェース４０００の第４の例示的な実施形態を示す。図５に示すように、ユーザ・インターフェース４０００はグラフィカル・ユーザ・インターフェース４１００である。グラフィカル・ユーザ・インターフェース４１００は、分類部４２００、画像部４３００、フィルム・ストリップ部４４００を含む。分類部４２００及び画像部４３００は、図１の分類部１２００及び画像部１３００と、各々同様である。分類部４２００は、リターン・ボタン４２０２、アクセプト・ボタン４２０４、ニュートラル・ボタン４２０６及び／又はリジェクト・ボタン４２０８のような、分類ボタンを備えている。フィルム・ストリップ部４４００は、画像シーケンス４４０２を表示する。様々な例示的な実施形態では、フィルム・ストリップ部４４００に表示されるシーケンス４４０２は、デジタル写真が撮影された順番で配置される一連のデジタル写真である。
【０１３６】
様々な例示的な実施形態では、画像部４３００は、フィルム・ストリップ部４４００に表示される画像に対応する、拡大画像を表示するために使用される。様々な例示的な実施形態では、（画像部４３００に表示される）画像は、先の画像の分類に応じて自動的に選択される。様々な例示的な実施形態では、画像はユーザにより選択される。様々な例示的な実施形態では、上記、図３の画像を強調するのと同様の方法で画像を強調することにより、画像はユーザにより選択される。
【０１３７】
図５に示されるように、グラフィカル・ユーザ・インターフェース４１００は、類似画像部４５００及び版部４６００を備える。類似画像部４５００は、選択画像に関連するか、類似すると判断される、０以上の類似画像を表示する。様々な例示的な実施形態では、０以上の類似画像は、計算される類似性に基づいて、選択画像に関連するか、類似すると、判断される。選択画像が選択されると、０以上の類似画像がリトリーブされ、類似画像部４５００に表示される。
【０１３８】
版部４６００は、選択画像の０以上の代替版画像を表示する。０以上の代替版画像は選択画像の（トリミング版若しくは修正版のような、）変更画像を含む。様々な例示的な実施形態では、０以上の代替版画像は手動で生成される。他の様々な例示的な実施形態では、０以上の代替版画像は、１以上の（例えば、色、コントラスト及び／又は彩度（変更）のような、）画像強調を適用することにより自動的に生成される。フィルム・ストリップ部４４００に表示されるシーケンス４４０２から、選択画像が選択される際に、０以上の代替版画像が、リトリーブ及び／又は自動的に生成される。ある例示的な実施形態では、類似画像部４５００及び版部４６００の一方若しくは双方が省かれてもよい。ユーザがすでに分類した画像の概観のような、関連情報を表示するために、他の部が付加されてもよい。様々な例示的な実施形態では、フィルム・ストリップ部４４００を省く。このような例示的な実施形態では、画像部４３００は、図示されないシーケンスの画像に対応する拡大画像を表示する。類似画像部４５００及び版部４６００は、拡大画像の類似画像及び代替画像を各々示す。
【０１３９】
図６は、本発明による画像表示及び画像分類の第２の方法の例示的な実施形態の概要を示すフローチャートである。本方法の処理はＳ２００で開始され、分類のために画像シーケンスが表示されるＳ２１０に進む。Ｓ２２０で、表示シーケンスから表示シーケンスの画像が選択される。様々な例示的な実施形態では、選択画像は、先の画像の分類に応じて、自動的に選択される。このような例示的な実施形態では、分類された先の画像がない場合、（デジタル写真シーケンスの第１の画像のような）表示画像シーケンスの第１の画像が、デフォルトとして選択される。他の様々な例示的な実施形態では、選択画像を強調することにより、ユーザにより手動で、画像は選択される。Ｓ２３０では、選択画像に対応する拡大画像が表示される。処理はＳ２４０に進む。
【０１４０】
Ｓ２４０では、ユーザがワン・キー・アクションを行うことにより、選択画像が分類される。Ｓ２５０では、分類されるべきさらなる画像があるか否か判断される。分類されるべきさらなる画像がある場合、処理はＳ２２０にジャンプし、他の画像が自動的に選択される。分類されるべきさらなる画像がない場合、処理はＳ２６０に進み、本方法の処理は終了する。
【０１４１】
様々な例示的な実施形態では、上記図４に関する記載のように、２以上の拡大画像を表示するために、さらなるステップが、Ｓ２３０及びＳ２４０の間で実行されてもよい。他の様々な例示的な実施形態では、上記図５に関する記載のように、（選択画像に類似する画像、選択画像の代替版のような、）関連情報を表示するために、さらなるステップが、Ｓ２３０及びＳ２４０の間で実行されてもよい。
【０１４２】
図７は、本発明による画像分類採択の検討及び改良に使用することができるユーザ・インターフェース５０００の第５の例示的な実施形態を示す。図７に示すように、ユーザ・インターフェース５０００は、グラフィカル・ユーザ・インターフェース５１００である。グラフィカル・ユーザ・インターフェース５１００は、画像部５３００を含む。画像シーケンス５３０２が、画像部５３００に表示される。シーケンス５３０２の画像各々は分類されており、シーケンス５３０２の画像各々の分類が画像部５３００に示されている。画像部５３００に表示されているシーケンス５３０２の画像各々は、当該画像の画像分類を変更するために選択されてもよい。
【０１４３】
様々な例示的な実施形態では、シーケンス５３０２は、写真が撮影された順番で配置されている一連のデジタル写真である。様々な例示的な実施形態では、シーケンスは、画像部５３００の左上からスタートし、画像部５３００の右上に到達するまで水平に続き、（右上に到達すると）次の行に移る。他の様々な例示的な実施形態では、シーケンスは、画像部５３００の左上でスタートし、画像部５３００の左下に到達するまで下方向に続き、（左下に到達すると）次の列に移る。画像シーケンス５３０２は他の方法で配置されてもよい。
【０１４４】
様々な例示的な実施形態では、画像部５３００に表示されるシーケンス５３０２の画像各々は、アクセプト（画像）、ニュートラル（画像）、若しくは、リジェクト（画像）として分類されている。図７に示されるように、ある画像は、当該画像がアクセプト画像であることを示す表示を含み、別のある画像は、当該画像がニュートラル画像であることを示す表示を含み、さらに別の画像は、当該画像がリジェクト画像であることを示す表示を含む。
【０１４５】
様々な例示的な実施形態では、分類表示の容易で迅速な視認を提供するために、異なる分類表示が（色、画像品質、シンボルなどのような、）異なる視覚効果表示と関連付けられる。様々な例示的な実施形態では、アクセプト画像、リジェクト画像及びニュートラル画像は、各々、緑、赤、黄のフレームと関連付けられる。他の様々な例示的な実施形態では、異なる分類表示及び／又は異なる分類が使用されてもよい。
【０１４６】
様々な例示的な実施形態では、リジェクト画像は、フェードされた、若しくは、フィルタされた画像として示される。フェードされた画像では、例えば、コントラスト若しくは明度を低減することにより、画像品質は低下される。したがって、フェードされた画像の特徴は視認可能ではあるが、通常のアクセプト画像の特徴のように明確ではない。
【０１４７】
上記したように、様々な例示的な実施形態では、画像部５３００に表示されるシーケンス５３０２の画像各々は、当該画像分類を変更するために選択されてもよい。様々な例示的な実施形態では、画像を強調することにより、当該画像選択することができる。様々な例示的な実施形態では、画像が選択されると、（図示されない）分類部がアクティブにされ、表示される。分類部は図１に示される分類部１２００と同様である。分類部の分類ボタンがアクティブにされると、選択画像が再分類される。他の様々な例示的な実施形態では、ユーザが再分類の結果をすぐに見ることができるように、シーケンス５３０２の画像各々は、コンテクスト・メニュー若しくはドラッグ・アンド・ドロップの技術を用いて再分類されてもよい。
【０１４８】
図８は、本発明によるユーザ・インターフェース６０００の第６の実施形態を示す。この例示的な実施形態では、可能な改良若しくは再分類のために、分類画像が再検討される。図８に示されるように、ユーザ・インターフェース６０００はグラフィカル・ユーザ・インターフェース６１００である。グラフィカル・ユーザ・インターフェース６１００は画像部６３００を含む。画像シーケンス６３０２が画像部６３００に表示される。シーケンス６３０２の画像各々は分類されている。シーケンス６３０２の画像各々の分類は、画像部６３００に示される。画像部６３００に表示されているシーケンス６３０２の画像各々は、（当該画像の）分類を変更するために選択されてもよい。様々な例示的な実施形態では、画像を強調することにより、当該画像を選択する。様々な例示的な実施形態では、シーケンス６３０２は、写真が撮影された順序で配置された一連のデジタル写真である。図８に示されるように、グラフィカル・ユーザ・インターフェース６１００は、類似画像部６５００及び版部６６００をさらに含む。図５の類似画像部４５００及び版部４６００と各々同様に、類似画像部６５００及び版部６６００は、画像部６３００に表示されている選択画像の０以上の類似画像及び０以上の代替版画像を表示する。図５の類似画像及び代替版画像が選択画像と関連するのと同様に、（図８の）類似画像及び代替版画像は、選択画像に関連する。
【０１４９】
図９は、本発明による画像分類採択の再検討及び改良のための方法の例示的な実施形態の概要を示すフローチャートである。本方法の処理はＳ３００で開始され、画像シーケンスが表示されるＳ３１０に進む。Ｓ３２０で、画像シーケンスの画像が選択される。Ｓ３３０で、選択画像の分類が変更、すなわち、改良される。制御はＳ３４０に進む。
【０１５０】
Ｓ３４０で、再検討及び／又は再分類すべきさらなる画像があるか否か判断される。再検討及び／又は再分類すべきさらなる画像がある場合、制御はＳ３２０にジャンプし、他の画像が選択される。再検討及び／又は再分類すべきさらなる画像がない場合、制御はＳ３５０に進み、本方法の処理は終了する。
【０１５１】
図９において、選択画像に関連する関連情報をリトリーブするため、及び／又は、表示するために、Ｓ３２０とＳ３３０との間にさらなる１以上のステップが含まれてもよい。図８に関連して上記されたように、関連情報は類似画像及び／又は代替版画像を含む。
【０１５２】
図１０は、本発明による画像分類システム７０００の例示的な実施形態の概要を示すブロック図である。図１０に示されるように、画像分類システム７０００は、入出力インターフェース７１００、コントローラ７２００、メモリ７３００、分類回路・ルーチン・アプリケーション７４００、リトリーブ回路・ルーチン・アプリケーション７５００、インターフェース生成回路・ルーチン・アプリケーション７６００、（図示されない）ユーザ・インターフェース・イベント解釈回路・ルーチン・アプリケーションを含み、各々は、１以上のデータ・バス及び／又はアプリケーション・プログラミング・インターフェースにより相互に接続され、制御される。
【０１５３】
様々な例示的な実施形態では、図１０に示されるように、画像分類システム７０００は、プログラミングされた汎用コンピュータ上で実現される。しかしながら、画像分類システム７０００は、特殊用途コンピュータ、プログラミングされたマイクロ・プロセッサ、マイクロ・コントローラ、周辺集積回路素子、ＡＳＩＣ、他の集積回路、デジタル・シグナル・プロセッサ、離散素子回路のようなハード・ワイヤード電子回路、ハード・ワイヤード論理回路、ＰＬＤ、ＰＬＡ、ＦＰＧＡ、ＰＡＬなどのプログラマブル論理装置で実現されてもよい。画像分類システム７０００を実現するために、図２、６及び９に示されるフローチャート（の処理）を代替的に実現できる有限状態マシンを実現することができる任意の装置を使用することができる。
【０１５４】
入出力インターフェース７１００は、当該システムの外部とインターアクトする。例えば、入出力インターフェース７１００は、リンク８１００を介して画像ソース８０００から画像を受信する。入出力インターフェース７１００は、また、リンク９１００を介して画像シンク９０００に分類画像を出力する。入出力インターフェース７１００は、また、（図示されない）１以上のユーザ入力装置及び（図示されない）１以上の表示装置を介して、ユーザとインターアクトする。１以上の表示装置は、表示画面、インタラクティブ画面などであってよい。１以上のユーザ入力装置は、マウス、トラック・ボール、キーボード、ジョイスティックなどであってよい。１以上のユーザ入力装置は１以上の表示装置に表示されるダミー・スイッチであってもよい。
【０１５５】
図１０に示されるように、メモリ７３００は、画像部７３０２、分類部７３０４、関連情報部７３０６を含む。画像分類システム７０００は、さらに、ユーザ・インターフェース部７９００を含む。ユーザ・インターフェース部７９００は、メモリ７３００に含まれていてもよい。メモリ７３００は、変更可能な揮発性又は不揮発性メモリ、変更不能すなわち固定のメモリなどの任意の適切な組み合わせで実現されてもよい。揮発性若しくは不揮発性の変更可能メモリは、任意の１以上のスタティック、ダイナミックＲＡＭ、フレキシブル・ディスク、フレキシブル・ディスク・ドライブ、書込可能若しくは再書込可能光ディスク、光ディスク・ドライブ、ハード・ディスク・ドライブ、フラッシュ・メモリなどで実現されてもよい。同様に、変更不能、すなわち、固定メモリは、任意の１以上のＲＯＭ、ＰＲＯＭ、ＥＰＲＯＭ、ＥＥＰＲＯＭ、ＣＤ−ＲＯＭディスク、ＤＶＤ−ＲＯＭディスクのような光ＲＯＭディスク、光ＲＯＭディスク・ドライブなどで実現されてもよい。画像部７３０２は入出力インターフェース７１００で受信した画像を記憶する。分類部７３０４は画像分類及び／又は分類画像を記憶する。関連情報部７３０６は、代替版画像のような、画像に関連する情報を記憶する。ユーザ・インターフェース部７９００は、分類処理の間にユーザとインターフェースするための情報を記憶する。
【０１５６】
図１０に示される画像分類システム７０００では、インターフェース生成回路・ルーチン・アプリケーション７６００は入出力インターフェース７１００から画像を受信し、分類画像を入出力インターフェース７１００に送信する。インターフェース生成回路・ルーチン・アプリケーション７６００は、また、表示のために１以上の表示装置に画像を送信する。ユーザ・インターフェース・イベント解釈回路・ルーチン・アプリケーションはユーザ入力を１以上のユーザ入力装置及び入出力インターフェース７１００を介して受信し、受信したユーザ入力により示されるユーザ分類採択を解釈する。分類回路・ルーチン・アプリケーション７４００は解釈された分類採択により画像を分類する。
【０１５７】
リトリーブ回路・ルーチン・アプリケーション７５００は、選択画像の関連情報をリトリーブし、表示のために、１以上の表示装置に当該関連情報を送信する。リトリーブ回路・ルーチン・アプリケーション７５００は、選択画像に類似な画像を判断することにより、選択画像の関連情報をリトリーブする。リトリーブ回路・ルーチン・アプリケーション７５００は、また、関連情報部７３０６に記憶されている選択情報の代替版画像をリトリーブすることにより、選択画像の関連情報をリトリーブする。
【０１５８】
画像ソース８０００は、デジタル・カメラ、デジタル複写機、ファクシミリ装置、スキャナ、ローカルに配置されたコンピュータ、リモートに配置されたコンピュータ、もしくは、電子画像を生成することができる、他の任意な公知の、若しくは今後開発される装置などのような、１以上の異なる画像ソースであってよい。同様に、画像ソース８０００は、ネットワーク、インターネット、ワールド・ワイド・ウェブのクライアント、若しくは、サーバのような、電子画像を記憶及び／又は送信する任意の適切な装置であってよい。様々な例示的な実施形態では、画像ソース８０００は、統合化された画像分類（機能）を有するデジタル・カメラにおけるように、入出力インターフェース７１００に統合されていてもよい。他の様々な例示的な実施形態では、画像ソース８０００は、モデム、ローカル・エリア・ネットワーク、ワイド・エリア・ネットワーク、イントラネット、インターネット、他の任意な分散処理ネットワーク、若しくは、他の任意な公知の、若しくは、今後開発される接続装置のような、接続装置を介して、入出力インターフェース７１００と接続されていてもよい。
【０１５９】
デジタル写真が撮影される際に画像が生成されてもよいが、画像は過去の任意のときに生成されることができる。したがって、画像ソース８０００は、入出力インターフェース７１００に電子画像を供給することができる任意の公知な、若しくは、今後開発される装置を含むことができる。例えば、画像ソース８０００は、磁気記憶ディスク、ＣＤ−ＲＯＭのようなデータ・キャリア、若しくは、画像を有するホスト・コンピュータであってよい。したがって、画像ソース８０００は、本発明による画像分類システム７０００に画像を供給することができる、任意の公知な、若しくは、今後開発されるソースであってよい。同様に、画像シンク９０００は、画像分類システム７０００により出力される分類画像を受信、及び、分類画像を記憶、送信、若しくは、表示することができる、任意の公知な、若しくは、今後開発される装置であってよい。
【０１６０】
本発明のワン・キー・アクションによるユーザの画像分類の例示的な処理において、インターフェース生成回路・ルーチン・アプリケーション７６００は、コントローラ７２００の制御の下、画像部７３０２の画像シーケンスの画像を１以上の表示装置に表示する。インターフェース生成回路・ルーチン・アプリケーション７６００は、また、コントローラ７２００の制御の下、図１に示される分類ボタン１２０２〜１２０８のような、ユーザ・インターフェース部７９００の複数のワン・キー・アクション分類ボタンを表示する。
【０１６１】
ワン・キー・アクションにより、１以上のユーザ入力装置の分類ボタンの１をユーザが選択すると、ユーザ・インターフェース・イベント解釈回路・ルーチン・アプリケーションはユーザからワン・キー・アクションを受信し、コントローラ７２００の制御の下、ユーザのワン・キー・アクションに関連するイベントを解釈する。ユーザのワン・キー・アクションが「リターン」を示す場合、インターフェース生成回路７６００は、コントローラ７２００の制御の下、１以上の表示装置に画像シーケンスの先の画像を表示する。
【０１６２】
一方、ユーザのワン・キー・アクションが分類採択を示す場合、ユーザ・インターフェース・イベント解釈回路・ルーチン・アプリケーションは、コントローラ７２００の制御の下、現在表示されている画像に関する（「アクセプト」、「ニュートラル」、「リジェクト」のような、）ユーザの分類採択を解釈する。分類回路・ルーチン・アプリケーション７４００は、コントローラ７２００の制御の下、解釈された分類採択にしたがい、現在表示されている画像を分類し、分類部７３０４に分類を記憶する。インターフェース生成回路７６００は、コントローラ７２００の制御の下、（次の）分類のために、画像シーケンスの次の画像を（次の画像がある場合には）自動的に（さらなるユーザからの何らの入力を要せず）表示する。
【０１６３】
ユーザが関連情報を参照して画像を分類する例示的な処理では、インターフェース生成回路・ルーチン・アプリケーション７６００は、コントローラ７２００の制御の下、図３に示されるような画像シーケンス２４０２のような画像シーケンスを、１以上の表示装置に表示する。インターフェース生成回路・ルーチン・アプリケーション７６００は、また、コントローラ７２００の制御の下、画像シーケンスの現在画像に対応する（図３に示される拡大画像のような）拡大画像を表示する。現在画像は、一般的に、画像シーケンスにおいて強調されるなどして示される。分類処理の始めにおいては、一般的に、現在画像は画像シーケンスの第１の画像である。一方、分類処理の間においては、一般的に、現在画像は分類されるべき位置の画像である。
【０１６４】
インターフェース生成回路・ルーチン・アプリケーション７６００は、また、コントローラ７２００の制御の下、図１に示されるような分類ボタン１２０２〜１２０８のような、複数のワン・キー・アクション分類ボタンを表示する。１以上の入力装置の分類ボタンの１を、ユーザがワン・キー・アクションにより選択すると、ユーザ・インターフェース・イベント解釈回路・ルーチン・アプリケーションはユーザのワン・キー・アクションを受信し、コントローラ７２００の制御の下、ユーザのワン・キー・アクションを解釈する。ユーザのワン・キー・アクションが「リターン」を示す場合、インターフェース生成回路・ルーチン・アプリケーション７６００は、コントローラ７２００の制御の下、１以上の表示装置に画像シーケンスの先の画像を表示する。
【０１６５】
一方、ユーザのワン・キー・アクションが分類採択を示す場合、ユーザ・インターフェース・イベント解釈回路・ルーチン・アプリケーションは、コントローラ７２００の制御の下、現在表示されている画像に対する（「アクセプト」、「ニュートラル」、「リジェクト」のような、）ユーザ分類採択を解釈する。分類回路・ルーチン・アプリケーション７４００は、コントローラ７２００の制御の下、解釈された分類採択にしたがい、現在表示されている画像を分類し、分類部７３０４に分類を記憶する。インターフェース生成回路・ルーチン・アプリケーション７６００は、コントローラ７２００の制御の下、画像シーケンスの分類画像に分類マーク（シンボル）を表示し、（さらなるユーザの何らの入力なしに）自動的に、（分類すべき次の画像があれば、）表示されている画像シーケンスの次の画像に、（次の）分類のために強調をシフトする。これにより、インターフェース生成回路・ルーチン・アプリケーション７６００は、コントローラ７２００の制御の下、画像シーケンスの新たに強調されている画像に対応する拡大画像を表示する。
【０１６６】
しかしながら、ユーザの入力が（分類ボタンの１によるワン・キー分類アクションではなく、）画像シーケンスの他の画像の選択である場合、インターフェース生成回路・ルーチン・アプリケーション７６００は、コントローラ７２００の制御の下、画像シーケンスの選択された他の画像に対応する他の拡大画像を表示してもよい。画像シーケンスの当該他の画像は、（ユーザが分類されるべき画像と当該他の画像とを比較することを所望するため、）一般的に、ユーザにより選択される。したがって、当該他の（画像の）拡大画像は、一般に、分類されるべき画像に対応する拡大画像と共に表示される。２の拡大画像の表示例は図４に示される。
【０１６７】
さらに、インターフェース生成回路・ルーチン・アプリケーション７６００は、ユーザが分類処理において参照するように、コントローラ７２００の制御の下、（図５に示される類似画像及び代替版画像のような）分類されるべき画像に関連する関連情報を表示する。すなわち、リトリーブ回路・ルーチン・アプリケーション７５００は、コントローラ７２００の制御の下、分類されるべき画像に対し、分類すべき画像に関連する関連情報をリトリーブする。インターフェース生成回路・ルーチン・アプリケーション７６００は、コントローラ７２００の制御の下、例えば、類似画像部及び／又は版部に、関連情報を表示する。
【０１６８】
ユーザが画像分類を再検討し改良する例示的な処理において、インターフェース生成回路・ルーチン・アプリケーション７６００は、コントローラ７２００の制御の下、１以上の表示装置に、図７に示すような画像シーケンス５３０２のような、画像シーケンスを表示する。リトリーブ回路・ルーチン・アプリケーション７５００は、コントローラ７２００の制御の下、分類部７３０４の画像各々の画像分類をリトリーブする。インターフェース生成回路・ルーチン・アプリケーション７６００は、コントローラ７２００の制御の下、リトリーブされた分類を画像と共に表示する。
【０１６９】
図１に示されるような分類ボタン１２０２、１２０４、１２０６、１２０８の１のような、分類キー（ボタン）を選択することにより、ユーザが選択画像を再分類することができるように、ユーザが画像を選択すると、インターフェース生成回路・ルーチン・アプリケーション７６００は、コントローラ７２００の制御の下、図１に示されるような分類部１２００のような分類部を表示する。
【０１７０】
ユーザ・インターフェース・イベント解釈回路・ルーチン・アプリケーションは、コントローラ７２００の制御の下、分類部で選択されたユーザ分類選択（採択）を解釈する。分類回路・ルーチン・アプリケーション７４００は、コントローラ７２００の制御の下、解釈された分類選択にしたがい、画像を再分類し、分類部７３０４の画像の分類を更新する。
【０１７１】
インターフェース生成回路・ルーチン・アプリケーション７６００は、コントローラ７２００の制御の下、再分類処理の間ユーザが参照するように、類似画像及び代替版画像のような、再分類すべき選択画像に関連する関連情報を表示してもよい。すなわち、リトリーブ回路・ルーチン・アプリケーション７５００は、コントローラ７２００の制御の下、再分類すべき選択画像のために、再分類すべき選択画像に関連する関連情報をリトリーブする。インターフェース生成回路・ルーチン・アプリケーション７６００は、コントローラ７２００の制御の下、例えば、類似部及び／又は版部に、関連情報を表示する。
【０１７２】
以上、本発明を例示的な実施形態を用いて詳細に説明したが、多くの代替、変更が可能であることは、当業者にとって明らかである。上記した本発明の例示的な実施形態は、例示を目的としたものであり、本発明を限定するものではない。本発明の精神及び範囲から逸脱することなく、様々な変更がなされることができる。
【図面の簡単な説明】
【０１７３】
【図１】本発明のユーザ・インターフェースの第１の例示的な実施形態を示す。
【図２】本発明の画像を分類する第１の方法の例示的な実施形態の概要を示すフローチャートである。
【図３】本発明のユーザ・インターフェースの第２の例示的な実施形態を示す。
【図４】本発明のユーザ・インターフェースの第３の例示的な実施形態を示す。
【図５】本発明のユーザ・インターフェースの第４の例示的な実施形態を示す。
【図６】本発明の画像を分類する第２の方法の例示的な実施形態の概要を示すフローチャートである。
【図７】本発明のユーザ・インターフェースの第５の例示的な実施形態を示す。
【図８】本発明のユーザ・インターフェースの第６の例示的な実施形態を示す。
【図９】本発明の画像分類採択を再検討及び改良する方法の例示的な実施形態の概要を示すフローチャートである。
【図１０】本発明の画像分類システムの例示的な実施形態の機能ブロック図である。
【符号の説明】
【０１７４】
１１００  グラフィカル・ユーザ・インターフェース
１２００  分類部
１３００  画像部
７０００  画像分類システム
７４００  分類回路・ルーチン・アプリケーション
７５００  リトリーブ回路・ルーチン・アプリケーション
７６００  インターフェース生成回路・ルーチン・アプリケーション
【図１】
2004206697.tif 000003
【図２】
2004206697.tif 000004
【図３】
2004206697.tif 000005
【図４】
2004206697.tif 000006
【図５】
2004206697.tif 000007
【図６】
2004206697.tif 000008
【図７】
2004206697.tif 000009
【図８】
2004206697.tif 000010
【図９】
2004206697.tif 000011
【図１０】
2004206697.tif 000012